(57)【要約】  ラインごとの色の差異が目立つという問題を解決する表示装置を提供する。  走査線駆動部（２）は、各サブフィールドで互いに異なる走査線を互いに異なる方向に走査する。また、走査線駆動部（２）は、フレームごとに各サブフィールドで走査する走査線を入れ替える。または、走査線駆動部（２）は、フレームごとに各サブフィールドで走査線を走査する方向を入れ替える。
2010116436.tif 000002
【特許請求の範囲】
【請求項１】
複数の走査線のそれぞれに対応して配置された画素を有する表示部と、
複数のフレーム期間のそれぞれを色ごとのフィールド期間に分け、さらに各フィールド期間を二つのサブフィールドに分け、各フィールド期間内の各サブフィールド期間で互いに異なる走査線を互いに異なる方向に走査し、また、前記フレーム期間ごとに、少なくとも一つの前記フィールド期間内の各サブフィールド期間で走査する走査線を入れ替える駆動手段と、を有する液晶表示装置。
【請求項２】
複数の走査線のそれぞれに対応して配置された画素を有する表示部と、
複数のフレーム期間のそれぞれを色ごとのフィールド期間に分け、さらに各フィールド期間を二つのサブフィールドに分け、各フィールド期間内の各サブフィールド期間で互いに異なる走査線を互いに異なる方向に走査し、また、前記フレーム期間ごとに、少なくとも一つの前記フィールド期間内の各サブフィールド期間で前記走査線を走査する方向を入れ替える駆動手段と、を有する液晶表示装置。
【請求項３】
請求の範囲第２項に記載の液晶表示装置において、
前記駆動手段は、前記フレーム期間ごとに、少なくとも一つの前記フィールド期間内の各サブフィールド期間で走査する走査線を入れ替える、液晶表示装置。
【請求項４】
請求の範囲第１項ないし第３項のいずれか１項に記載の液晶表示装置において、
前記駆動手段は、各フィールド期間内の各サブフィールド期間の一方で奇数行目の走査線と偶数行目の走査線との一方を走査し、各サブフィールド期間の他方で奇数行目の走査線と偶数行目の走査線との他方を走査する、液晶表示装置。
【請求項５】
請求の範囲第４項に記載の液晶表示装置において、
前記駆動手段は、各フィールド期間内の各サブフィールド期間のうち最初のサブフィールド期間で、前記奇数行目の走査線と前記偶数行目の走査線との一方に加えて、該走査線に隣接する走査線を走査する、液晶表示装置。
【請求項６】
複数の走査線のそれぞれに対応して配置された画素を有する液晶表示素子の駆動回路であって、
複数のフレーム期間のそれぞれを色ごとのフィールド期間に分け、さらに各フィールド期間を二つのサブフィールドに分け、各フィールド期間内の各サブフィールド期間で互いに異なる走査線を互いに異なる方向に走査し、また、前記フレーム期間ごとに、少なくとも一つの前記フィールド期間内の各サブフィールド期間で走査する走査線を入れ替える、駆動回路。
【請求項７】
複数の走査線のそれぞれに対応して配置された画素を有する液晶表示素子の駆動回路であって、
複数のフレーム期間のそれぞれを色ごとのフィールド期間に分け、さらに各フィールド期間を二つのサブフィールドに分け、各フィールド期間内の各サブフィールド期間で互いに異なる走査線を互いに異なる方向に走査し、また、前記フレーム期間ごとに、少なくとも一つの前記フィールド期間内の各サブフィールド期間で前記走査線を走査する方向を入れ替える、駆動回路。
【請求項８】
複数の走査線のそれぞれに対応して配置された画素を有する液晶表示素子の駆動方法であって、
複数のフレーム期間のそれぞれを色ごとのフィールド期間に分け、さらに各フィールド期間を二つのサブフィールドに分け、
各フィールド期間内の各サブフィールド期間で互いに異なる走査線を互いに異なる方向に走査し、
前記フレーム期間ごとに、少なくとも一つの前記フィールド期間内の各サブフィールド期間で走査する走査線を入れ替える、駆動方法。
【請求項９】
複数の走査線のそれぞれに対応して配置された画素を有する液晶表示素子の駆動方法であって、
複数のフレーム期間のそれぞれを色ごとのフィールド期間に分け、さらに各フィールド期間を二つのサブフィールドに分け、
各フィールド期間内の各サブフィールド期間で互いに異なる走査線を互いに異なる方向に走査し、
前記フレーム期間ごとに、少なくとも一つの前記フィールド期間内の各サブフィールド期間で前記走査線を走査する方向を入れ替える、駆動方法。
【発明の詳細な説明】
【技術分野】
【０００１】
本発明は、液晶表示装置の駆動回路、液晶表示装置および駆動方法に関する。
【背景技術】
【０００２】
複数の画素を有する液晶表示素子と、その液晶表示素子に光を照射する照明装置とを有する液晶表示装置は、液晶表示素子がその照射光を変調することによって、画像を表示する。なお、照明装置は、光源や光源を制御する光源制御回路を含む。【０００３】
液晶表示装置には、液晶表示素子を直視することで画像を見る直視型と、液晶表示素子が変調した光をスクリーンに投射した画像を見る投射型とがある。また、液晶表示装置がカラー画像を表示するためのカラー表示方式には、並置（併置）加法混色、同時加法混色または継続加法混色などの色の生成方式が利用されている。【０００４】
並置加法混色を利用したカラー表示方式としては、赤色（Ｒ）、緑色（Ｇ）および青色（Ｂ）のカラーフィルターを有する画素（サブピクセル）のそれぞれが近接するように配置されるタイプがある。このカラー表示方式では、サブピクセルの間隔を、人間の目による空間解像度の検知限のより狭くすることで、人間に様々な色を認識させることができる。なお、直視型の液晶表示装置では、一般的にこのタイプのカラー表示方式が用いられている。【０００５】
また、同時加法混色を利用したカラー表示方式としては、Ｒ色、Ｇ色およびＢ色の光のそれぞれの光強度を変調する液晶表示素子が用いられ、それらの変調された光が重ね合わさられるタイプがある。なお、投射型の液晶表示装置では、一般的にこのタイプのカラー表示方式が用いられる。また、このタイプのカラー表示方式は、３板式と呼ばれる。【０００６】
また、継続加法混色を利用したカラー表示方式としては、ＦＳＣ（Field  Sequential  Color：フィールドシーケンシャルカラー）方式と呼ばれるタイプがある。【０００７】
ＦＳＣ方式は、１画面分の映像を表示するフレームを複数のカラーフィールドに分け、そのカラーフィールドごとに異なった色の画像を順番に表示する方式である。ＦＳＣ方式では、カラーフィールドを、人間の目における時間解像度の検知限より短くすることで、人間に様々な色を認識させることができる。【０００８】
ＦＳＣ方式を用いた直視型の液晶表示装置の場合、カラーフィルターやサブピクセルが不要になるので、製造コストの低減や解像度の向上などの効果が期待される。また、ＦＳＣ方式を用いた投射型の液晶表示装置の場合、液晶表示素子がモノクロ単板で構成できるため、装置のコンパクト化などの効果が期待できる。なお、モノクロ単板とは、カラーフィルターのない１枚の液晶表示素子のことである。モノクロ単板で複数の色の画像を表示させるＦＳＣ方式では、他の方式よりも液晶表示素子に速い応答速度が必要とされる。【０００９】
また、ＦＳＣ方式では、複数の色の光を切り替える照明装置が必要となる。このような照明装置としては、白色光源とカラーホイールとで構成されるものや、色がそれぞれ異なる単色光（赤色、緑色および青色）を発する複数の固体光源（ＬＥＤ（Light  Emitting  Diode）など）で構成されるものが知られている。【００１０】
以下、ＦＳＣ方式の液晶表示装置について説明する。【００１１】
図１は、ＦＳＣ方式の液晶表示装置の動作を説明するためのタイミングチャートである。図１では、フレームＦｒａｍｅ‐０〜Ｆｒａｍｅ−３のそれぞれは、３つのカラーフィールドＦｉｅｌｄ‐Ｒ、Ｆｉｅｌｄ‐ＧおよびＦｉｅｌｄ‐Ｂに分割されている。【００１２】
映像データに応じた映像を表示するためには、映像データに含まれる各色の階調データのそれぞれが、カラーフィールドごとに、マトリックス状に配置された画素の最上ライン（一行目）から最下ライン（最終行目）まで順番に印加される。画素に階調データが印加されると、画素の透過率がその階調データに応じて変化する。これにより、各色の明るさが階調データに応じて変化するので、映像データに応じた映像が表示される。【００１３】
図２は、最上ラインの画素の相対光透過率Ａと、最下ラインの画素の相対光透過率Ｂとを示したタイミングチャートである。なお、ここでの相対光透過率とは、ある画素に階調レベルが１００％の階調データが印加された場合に、画素が十分に応答したときの画素の光透過率を１００％としたときの相対値を示す。【００１４】
図２において、映像データは、全てシアン色の映像を示す。この映像データにおける理想的な階調レベルである画像データ転送設定レベルは、カラーフィールドＦｉｅｌｄ‐Ｒで０％となり、カラーフィールドＦｉｅｌｄ‐ＧおよびＦｉｅｌｄ‐Ｂで１００％となる。【００１５】
しかしながら、階調データは、最上ラインの画素から最下ラインの画素まで順番に印加されるので、全ての画素に対して同時に印加されるわけではない。このため、画素に印加される階調データの位相は画素ごとに異なるので、画素ごとに相対光透過率が異なる。このため、画素ごとに階調レベルが異なる。【００１６】
また、全ての画素に対して同じ色の光が同時に照明されるので、画素ごとに階調レベルが異なると、画素ごとに明るさが異なり、画面上に輝度ムラが発生する。【００１７】
例えば、Ｆｒａｍｅ‐１において、Ｇ色の光が照明されているときには、最上ラインの画素の明るさ（斜線部ａの面積）と、最下ラインの画素の明るさ（斜線部ｂの面積）とは互いに異なる。なお、ＦＳＣ方式では、カラーフィールドごとに画素の明るさが異なるので、その輝度ムラは人間には色ムラとして認識される。【００１８】
このような輝度ムラを抑制することが可能な技術には、特許文献１に記載の液晶表示装置の駆動方法がある。【００１９】
図３は、この液晶表示装置の駆動方法を説明するためのタイミングチャートである。【００２０】
図３で示したように、この液晶表示装置の駆動方法では、各カラーフィールドが、さらに二つのサブフィールドに分けられる。第一サブフィールドでは、最上ラインから最下ラインに向けて奇数（ｏｄｄ）ラインの画素に対して走査され、第二サブフィールドでは、最下ラインから最上ラインに向けて偶数（ｅｖｅｎ）ラインの画素に対して走査される。【００２１】
これにより、明るさが近似するラインの間に、そのラインと明るさの異なるラインが挿入されるので、ラインごとの明るさを均一化することが可能になり、輝度ムラを抑制することが可能になる。
【特許文献１】特開２００４−２０６００３号公報
【発明の開示】
【発明が解決しようとする課題】
【００２２】
特許文献１に記載の液晶表示装置では、ラインごとに明るさが異なるため、ラインごとに色の差異が目立つという問題がある。特に画面の上側のラインにおいて、明るさが近似するラインの間に、そのラインと明るさと非常に異なるラインが挿入されることになるので、ラインごとの色の差異が非常に目立つ。したがって、画面内の位置による階調再現性や色再現性の差異が目立つという問題がある。【００２３】
本発明の目的は、上記の課題である、画面内の位置による階調再現性や色再現性の差異が目立つという問題を解決する表示装置、駆動回路および駆動方法を提供することである。
【課題を解決するための手段】
【００２４】
本発明による第一の表示装置は、複数の走査線のそれぞれに対応して配置された画素を有する表示部と、複数のフレーム期間のそれぞれを色ごとのフィールド期間に分け、さらに各フィールド期間を二つのサブフィールドに分け、各フィールド期間内の各サブフィールド期間で互いに異なる走査線を互いに異なる方向に走査し、また、前記フレーム期間ごとに、少なくとも一つの前記フィールド期間内の各サブフィールド期間で走査する走査線を入れ替える駆動手段と、を有する。【００２５】
また、本発明による第二の表示装置は、複数の走査線のそれぞれに対応して配置された画素を有する表示部と、複数のフレーム期間のそれぞれを色ごとのフィールド期間に分け、さらに各フィールド期間を二つのサブフィールドに分け、各フィールド期間内の各サブフィールド期間で互いに異なる走査線を互いに異なる方向に走査し、また、前記フレーム期間ごとに、少なくとも一つの前記フィールド期間内の各サブフィールド期間で前記走査線を走査する方向を入れ替える駆動手段と、を有する。【００２６】
また、本発明による第一の駆動回路は、複数の走査線のそれぞれに対応して配置された画素を有する表示装置の駆動回路であって、複数のフレーム期間のそれぞれを色ごとのフィールド期間に分け、さらに各フィールド期間を二つのサブフィールドに分け、各フィールド期間内の各サブフィールド期間で互いに異なる走査線を互いに異なる方向に走査し、また、前記フレーム期間ごとに、少なくとも一つの前記フィールド期間内の各サブフィールド期間で走査する走査線を入れ替える。【００２７】
また、本発明による第二の駆動回路は、複数の走査線のそれぞれに対応して配置された画素を有する表示装置の駆動回路であって、複数のフレーム期間のそれぞれを色ごとのフィールド期間に分け、さらに各フィールド期間を二つのサブフィールドに分け、各フィールド期間内の各サブフィールド期間で互いに異なる走査線を互いに異なる方向に走査し、また、前記フレーム期間ごとに、少なくとも一つの前記フィールド期間内の各サブフィールド期間で前記走査線を走査する方向を入れ替える。【００２８】
また、本発明による第一の駆動方法は、複数の走査線のそれぞれに対応して配置された画素を有する表示装置の駆動方法であって、複数のフレーム期間のそれぞれを色ごとのフィールド期間に分け、さらに各フィールド期間を二つのサブフィールドに分け、各フィールド期間内の各サブフィールド期間で互いに異なる走査線を互いに異なる方向に走査し、前記フレーム期間ごとに、少なくとも一つの前記フィールド期間内の各サブフィールド期間で走査する走査線を入れ替える。【００２９】
また、本発明による第二の駆動方法は、複複数の走査線のそれぞれに対応して配置された画素を有する表示装置の駆動方法であって、複数のフレーム期間のそれぞれを色ごとのフィールド期間に分け、さらに各フィールド期間を二つのサブフィールドに分け、各フィールド期間内の各サブフィールド期間で互いに異なる走査線を互いに異なる方向に走査し、前記フレーム期間ごとに、少なくとも一つの前記フィールド期間内の各サブフィールド期間で前記走査線を走査する方向を入れ替える。
【発明の効果】
【００３０】
本発明によれば、画面内の位置による階調再現性や色再現性の差異を抑制することが可能になる。
【図面の簡単な説明】
【００３１】
【図１】ＦＳＣ方式の液晶表示装置の動作を説明するためのタイミングチャートである。
【図２】最上ラインの画素の相対光透過率と最下ラインの画素の相対光透過率とを示したタイミングチャートである。
【図３】特許文献１に記載の液晶表示装置の駆動方法を説明するためのタイミングチャートである。
【図４】本発明による第一の実施形態の表示装置の構成を示す図である。
【図５】画素の一例を示した回路図である。
【図６】第一の実施形態における走査線駆動部の動作例を説明するためのタイミング図である。
【図７】第二の実施形態における走査線駆動部の動作例を説明するためのタイミング図である。
【図８】第二の実施形態における走査線駆動部の他の動作例を説明するためのタイミング図である。
【図９】第三の実施形態における走査線駆動部の動作例を説明するためのタイミング図である。
【図１０】第三の実施形態における走査線駆動部の他の動作例を説明するためのタイミング図である。
【図１１】第三の実施形態における走査線駆動部の他の動作例を説明するためのタイミング図である。
【図１２】各実施形態の表示装置を比較するための説明図である。
【図１３】走査シーケンスにおける時間の長さを説明するためのタイミング図である。
【図１４】第四の実施形態における走査線駆動部の他の動作例を説明するためのタイミング図である。
【図１５】第五の実施形態における表示装置の構成を示したブロック図である。
【発明を実施するための最良の形態】
【００３２】
以下、本発明の実施形態について図面を参照して説明する。なお、以下の説明では、同じ機能を有する構成には同じ符号を付け、その説明を省略する場合がある。【００３３】
図４は、本発明による第一の実施形態の表示装置の構成を示す図である。図４において、表示装置は、表示部１と、走査線駆動部２とを有する。なお、表示装置は、液晶表示装置の一例である。【００３４】
表示部１は、表示素子の一例として用いられる。表示部１は、Ｎ本の走査線Ｓ１〜ＳＮと、Ｍ本の信号線Ｄ１〜ＤＭと、Ｎ×Ｍ個の画素１００とを有する。なお、ＮおよびＭは、偶数でもよいし、奇数でもよいが、以下では、偶数であるとする。【００３５】
走査線Ｓ１〜ＳＮは、水平方向に延設され、信号線Ｄ１〜ＤＭは、垂直方向に延設されている。また、各走査線Ｓ１〜ＳＮと各信号線Ｄ１〜ＤＭの複数の交差部のそれぞれに対応して画素１００が配置されている。したがって、画素１００が複数の走査線Ｓ１〜ＳＮのそれぞれに対応して配置されることになる。【００３６】
信号線Ｄ１〜ＤＭには、映像データに含まれる階調データが順次印加される。【００３７】
走査線Ｓ１〜ＳＮには、走査線駆動部２にて順次選択され、選択電圧が印加される。【００３８】
画素１００では、例えば、液晶画素である。【００３９】
図５は、画素１００の一例を示した回路図である。図５において、画素１００は、ＴＦＴ（薄膜トランジスタ）１０１と、液晶１０２と、キャパシタ１０３とを有する。【００４０】
ＴＦＴ（薄膜トランジスタ）１０１のソースは、信号線Ｄｉ（１≦ｉ≦Ｍ）に接続され、ＴＦＴ１０１のドレインは、液晶１０２の画素電極１０２ａに接続され、ＴＦＴ１０１のゲートは、走査線Ｓｊ（１≦ｊ≦Ｎ）に接続されている。液晶１０２の画素電極１０２ａに対向する対向電極１０２ｂは、全ての画素に共通の定電圧源ＬＣＣＯＭに接続されている。【００４１】
これにより、走査線Ｓｊに選択電圧が印加されると、信号線Ｄ１〜ＤＭに印加された階調データが液晶１０２に印加され、液晶１０２の透過率が階調データに応じて変化する。【００４２】
また、キャパシタ１０３の一端は、画素電極１０２ａ（ＴＦＴ１０１のドレイン）に接続され、キャパシタ１０３の他の一端は、接地されている。なお、キャパシタ１０３は、画素電極１０２に印加された電圧を保持するために設けられている。【００４３】
図４に戻る。走査線駆動部２は、駆動手段および駆動回路の一例である。走査線駆動部２は、信号線Ｄ１〜ＤＭを介して階調データが供給される画素１００に対応する走査線を選択し、その選択した走査線に選択電圧を印加する。走査線駆動部２は、この処理を走査線Ｓ１〜ＳＮに行うことで、走査線Ｓ１〜ＳＮを走査する。【００４４】
具体的には、走査線駆動部２は、以下のように走査線Ｓ１〜ＳＮの走査を行う。【００４５】
先ず、走査線駆動部２は、各フレームを色ごとのカラーフィールドに分ける。また、走査線駆動部２は、各カラーフィールドを二つのサブフィールドＳＦ１およびＳＦ２に分ける。なお、フレームとは、１画面分の映像を表示する期間である。また、本明細書では、カラーフィールドとしては、赤色（Ｒ）、緑色（Ｇ）および青色（Ｂ）のそれぞれに対応するカラーフィールドＣＦ−Ｒ、ＣＦ−ＧおよびＣＦ−Ｂの３つがあるとする。【００４６】
そして、走査線駆動部２は、各サブフィールドで互いに異なる走査線Ｓ１〜ＳＮを互いに異なる方向に走査する。具体的には、走査線駆動部２は、各サブフィールドの一方で、偶数ライン（偶数行目）の走査線と奇数ライン（奇数行目）の走査線との一方を走査し、各サブフィールドの他方で、偶数ラインの走査線と奇数ラインの走査線の他方を走査する。【００４７】
また、走査線駆動部２は、フレームごとに、少なくとも一つのカラーフィールド内の各サブフィールドで走査する走査線を入れ替える。【００４８】
例えば、あるフレーム内のあるカラーフィールドにおいて、走査線駆動部２は、サブフィールドＳＦ１で偶数ラインの走査線を走査し、サブフィールドＳＦ２で奇数ラインの走査線を走査したとする。この場合、次のフレーム内のそのカラーフィールドでは、走査線駆動部２は、サブフィールドＳＦ１で奇数ラインの走査線を走査し、サブフィールドＳＦ２で偶数ラインの走査線を走査する。【００４９】
次に動作を説明する。【００５０】
図６は、走査線駆動部２の動作を説明するためのタイミング図である。なお、図６では、走査線駆動部２は、フレームごとに、全てのカラーフィールド内の各サブフィールドで走査する走査線を入れ替えている。なお、図６において、選択ラインは、走査されている走査線を示す。具体的には、Ｏｄｄは、奇数ラインの走査線を示し、Ｅｖｅｎは、偶数ラインの走査線を示す。【００５１】
フレームＦｒａｍｅ１では、走査線駆動部２は、以下の動作を行う。【００５２】
先ず、カラーフィールドＣＦ−ＲのサブフィールドＳＦ１では、走査線駆動部２は、最上ライン（１行目）の走査線Ｓ１から最下ライン（最終行目）の走査線ＳＮへの方向（以下、順方向と称する）に、奇数ラインの走査線を走査する。その次のサブフィールドＳＦ２では、走査線駆動部２は、走査線ＳＮから走査線Ｓ１への方向（以下、逆方向と称する）に、偶数ラインの走査線を走査する。【００５３】
続いて、次のカラーフィールドＣＦ−ＧのサブフィールドＳＦ１では、走査線駆動部２は、逆方向に偶数ラインの走査線を走査する。その次のサブフィールドＳＦ２では、走査線駆動部２は、順方向に奇数ラインの走査線を走査する。【００５４】
そして、次にカラーフィールドＣＦ−ＢのサブフィールドＳＦ１では、走査線駆動部２は、順方向に奇数数ラインの走査線を走査する。その次のサブフィールドＳＦ２では、走査線駆動部２は、逆方向に偶数ラインの走査線を走査する。【００５５】
その後、次のフレームＦｒａｍｅ２では、走査線駆動部２は、以下の動作を行う。【００５６】
先ず、走査線駆動部２は、カラーフィールドＣＦ−ＲのサブフィールドＳＦ１では、走査線駆動部２は、順方向に偶数ラインの走査線を走査する。その次のサブフィールドＳＦ２では、走査線駆動部２は、逆方向に奇数ラインの走査線を走査する。【００５７】
続いて、次のカラーフィールドＣＦ−ＧのサブフィールドＳＦ１では、走査線駆動部２は、逆方向に奇数ラインの走査線を走査する。その次のサブフィールドＳＦ２では、走査線駆動部２は、順方向に偶数ラインの走査線を走査する。【００５８】
そして、次にカラーフィールドＣＦ−ＢのサブフィールドＳＦ１では、走査線駆動部２は、順方向に偶数ラインの走査線を走査する。その次のサブフィールドＳＦ２では、走査線駆動部２は、逆方向に奇数ラインの走査線を走査する。【００５９】
また、図６には、最上奇数ライン（１行目）の走査線、最上偶数ライン（２行目）の走査線、最下奇数ライン（Ｎ−１行目）の走査線および最下偶数ライン（Ｎ行目）の走査線のそれぞれに対応する階調データ更新位相が示されている。階調データ更新位相は、走査線に対応する画素に保持されている電圧（階調データ）が、どの色の階調データかを示す。【００６０】
ある画素の階調データは、その画素の走査線が走査されたタイミング（階調データ更新位相）に、そのときのカラーフィールドに対応する色の階調データに更新され、次にその走査線が走査されるまでその色の階調データが保たれる。【００６１】
例えば、最上奇数ラインの走査線Ｓ１では、フレームＦｒａｍｅ１のカラーフィールドＣＦ−ＲのサブフィールドＳＦ１の最初で赤色（Ｒ）の階調データが設定され、その後、フレームＦｒａｍｅ１のカラーフィールドＣＦ−ＧのサブフィールドＳＦ１の最後まで赤色が保たれる。そして、次のサブフィールドＳＦ２の最初で緑色（Ｇ）の階調データが設定され、その後、次のカラーフィールドＣＦ−ＢのサブフィールドＳＦ１の最初の直前まで緑色が保たれる。その後、フレームＦｒａｍｅ１のカラーフィールドＣＦ−ＢのサブフィールドＳＦ１の最初で青色（Ｂ）の階調データが設定され、フレームＦｒａｍｅ２のカラーフィールドＣＦ−ＲのサブフィールドＳＦ２の最後の直前まで青色が保たれる。【００６２】
このように、フレームによって各色の階調データ更新位相が変化しており、階調データ更新位相についてのライン間の差異が時間平均的に低減されている様子が見られる。【００６３】
次に効果を説明する。【００６４】
本実施形態によれば、走査線駆動部２は、各サブフィールドで互いに異なる走査線を互いに異なる方向に走査する。また、走査線駆動部２は、フレームごとに各サブフィールドで走査する走査線を入れ替える。【００６５】
この場合、フレームごとに各サブフィールドで走査する走査線が入れ替えられる。このため、フレームごとに階調データが印加される画素の順番が変化するので、フレームごとに各ラインの明るさを変えることが可能になり、ラインごとの時間平均的な明るさを均一化することが可能になる。したがって、ラインごとの色の差異を抑制することが可能になるので、画面内の位置による階調再現性や色再現性の差異を抑制することが可能になる。【００６６】
また、本実施形態では、カラーフィールドごとに各サブフィールドで走査する走査線や走査方向を入れ替える。【００６７】
この場合、各画素間の階調データ更新位相の時間平均な差異を低減することが可能になるので、画面内の位置による階調再現性や色再現性の差異をさらに抑制することが可能になる。【００６８】
次に第二の実施形態について説明する。【００６９】
走査線駆動部２は、第一の実施形態では、フレームごとに少なくとも一つのカラーフィールド内の各サブフィールドで走査する走査線を入れ替えていたが、本実施形態では、フレームごとに少なくとも一つのカラーフィールド内の各サブフィールドで走査線Ｓ１〜ＳＮを走査する方向を入れ替える。【００７０】
例えば、あるフレーム内のあるカラーフィールドにおいて、走査線駆動部２は、サブフィールドＳＦ１で走査線を順方向に走査し、サブフィールドＳＦ２で走査線を逆方向に走査したとする。この場合、次のフレーム内のそのカラーフィールドでは、走査線駆動部２は、サブフィールドＳＦ１で走査線を逆方向に走査し、サブフィールドＳＦ２で走査線を順方向に走査する。【００７１】
図７は、本実施形態における走査線駆動部２の動作を説明するためのタイミング図である。なお、図７では、走査線駆動部２は、フレームごとに、全てのカラーフィールド内の各サブフィールドで走査線Ｓ１〜ＳＮを走査する方向を入れ替えている。【００７２】
フレームＦｒａｍｅ１では、走査線駆動部２は、以下の動作を行う。【００７３】
先ず、カラーフィールドＣＦ−ＲのサブフィールドＳＦ１では、走査線駆動部２は、順方向に奇数ラインの走査線を走査する。その次のサブフィールドＳＦ２では、走査線駆動部２は、逆方向に偶数ラインの走査線を走査する。【００７４】
続いて、次のカラーフィールドＣＦ−ＧのサブフィールドＳＦ１では、走査線駆動部２は、順方向に奇数ラインの走査線を走査する。その次のサブフィールドＳＦ２では、走査線駆動部２は、逆方向に偶数ラインの走査線を走査する。【００７５】
そして、次にカラーフィールドＣＦ−ＢのサブフィールドＳＦ１では、走査線駆動部２は、順方向に奇数ラインの走査線を走査する。その次のサブフィールドＳＦ２では、走査線駆動部２は、逆方向に偶数ラインの走査線を走査する。【００７６】
次のフレームＦｒａｍｅ２では、走査線駆動部２は、以下の動作を行う。【００７７】
先ず、走査線駆動部２は、カラーフィールドＣＦ−ＲのサブフィールドＳＦ１では、走査線駆動部２は、逆方向に奇数ラインの走査線を走査する。その次のサブフィールドＳＦ２では、走査線駆動部２は、順方向に偶数ラインの走査線を走査する。【００７８】
続いて、次のカラーフィールドＣＦ−ＧのサブフィールドＳＦ１では、走査線駆動部２は、逆方向に奇数ラインの走査線を走査する。その次のサブフィールドＳＦ２では、走査線駆動部２は、順方向に偶数ラインの走査線を走査する。【００７９】
そして、次のカラーフィールドＣＦ−ＢのサブフィールドＳＦ１では、走査線駆動部２は、逆方向に奇数ラインの走査線を走査する。その次のサブフィールドＳＦ２では、走査線駆動部２は、順方向に偶数ラインの走査線を走査する。【００８０】
なお、図７にも図６と同様に、各ラインの階調データ更新位相とその階調データの色を示す。図７でも、図６と同様にフレームによって各色の階調データ更新位相が変化しており、階調データ更新位相についてのライン間の差異が時間平均的に低減されている様子が見られる。【００８１】
次に本実施形態における走査線駆動部２の他の動作例を説明する。図８は、本実施形態における走査線駆動部２の他の動作例を説明するためのタイミング図である。【００８２】
図７では、全てのカラーフィールドにおいて、サブフィールドＳＦ１で奇数ラインの走査線が走査され、全てのサブフィールドＳＦ２で偶数ラインの走査線が走査されていた。図８では、カラーフィールドごとに、サブフィールドＳＦ１およびＳＦ２で走査される走査線が異なる。【００８３】
フレームＦｒａｍｅ１では、走査線駆動部２は、以下の動作を行う。【００８４】
先ず、カラーフィールドＣＦ−ＲのサブフィールドＳＦ１では、走査線駆動部２は、順方向に奇数ラインの走査線を走査する。その次のサブフィールドＳＦ２では、走査線駆動部２は、逆方向に偶数ラインの走査線を走査する。【００８５】
続いて、次のカラーフィールドＣＦ−ＧのサブフィールドＳＦ１では、走査線駆動部２は、逆方向に偶数ラインの走査線を走査する。その次のサブフィールドＳＦ２では、走査線駆動部２は、順方向に奇数ラインの走査線を走査する。【００８６】
そして、次にカラーフィールドＣＦ−ＢのサブフィールドＳＦ１では、走査線駆動部２は、順方向に、奇数ラインの走査線を走査する。その次のサブフィールドＳＦ２では、走査線駆動部２は、逆方向に偶数ラインの走査線を走査する。【００８７】
次のフレームＦｒａｍｅ２では、走査線駆動部２は、以下の動作を行う。【００８８】
先ず、走査線駆動部２は、カラーフィールドＣＦ−ＲのサブフィールドＳＦ１では、走査線駆動部２は、逆方向に奇数ラインの走査線を走査する。その次のサブフィールドＳＦ２では、走査線駆動部２は、順方向に偶数ラインの走査線を走査する。【００８９】
続いて、次のカラーフィールドＣＦ−ＧのサブフィールドＳＦ１では、走査線駆動部２は、順方向に偶数ラインの走査線を走査する。その次のサブフィールドＳＦ２では、走査線駆動部２は、逆方向に奇数ラインの走査線を走査する。【００９０】
そして、次のカラーフィールドＣＦ−ＢのサブフィールドＳＦ１では、走査線駆動部２は、逆方向に奇数ラインの走査線を走査する。その次のサブフィールドＳＦ２では、走査線駆動部２は、順方向に偶数ラインの走査線を走査する。【００９１】
なお、図８にも図６と同様に、各ラインの階調データ更新位相とその階調データの色を示す。図８でも、図６と同様にフレームによって各色の階調データ更新位相が変化しており、階調データ更新位相についてのライン間の差異が時間平均的に低減されている様子が見られる。【００９２】
次に効果を説明する。【００９３】
本実施形態によれば、走査線駆動部２は、各サブフィールドで互いに異なる走査線Ｓ１〜ＳＮを互いに逆向きに走査する。また、走査線駆動部２は、フレームごとに各サブフィールドで走査線を走査する方向を入れ替える。【００９４】
フレームごとに各サブフィールドで走査線を走査する方向が入れ替えられる。このため、フレームごとに階調データが印加される画素の順番が変化するので、フレームごとに各ラインの明るさを変えることが可能になり、平均的に見ればラインごとの明るさを均一化することが可能になる。したがって、ラインごとの色の差異を抑制することが可能になるので、画面内の位置による階調再現性や色再現性の差異を抑制することが可能になる。【００９５】
また、本実施形態では、カラーフィールドごとに各サブフィールドで走査する走査線や走査方向を入れ替える。【００９６】
この場合、各画素間の階調データ更新位相の時間平均な差異を低減することが可能になるので、画面内の位置による階調再現性や色再現性の差異をさらに抑制することが可能になる。【００９７】
次に第三の実施形態について説明する。【００９８】
本実施形態では、走査線駆動部２は、フレームごとに少なくとも一つのカラーフィールドの各サブフィールドで走査する走査線を入れ替え、また、フレームごとに少なくとも一つのカラーフィールドの各サブフィールドで走査線を走査する方向を入れ替える。【００９９】
図９は、本実施形態における走査線駆動部２の動作例を説明するためのタイミング図である。なお、図９では、走査線駆動部２は、フレームごとに、全てのカラーフィールド内の各サブフィールドで走査する走査線および方向を入れ替えることとする。【０１００】
フレームＦｒａｍｅ１では、走査線駆動部２は、以下の動作を行う。【０１０１】
先ず、カラーフィールドＣＦ−ＲのサブフィールドＳＦ１では、走査線駆動部２は、順方向に奇数ラインの走査線を走査する。その次のサブフィールドＳＦ２では、走査線駆動部２は、逆方向に偶数ラインの走査線を走査する。【０１０２】
続いて、次のカラーフィールドＣＦ−ＧのサブフィールドＳＦ１では、走査線駆動部２は、順方向に奇数ラインの走査線を走査する。その次のサブフィールドＳＦ２では、走査線駆動部２は、逆方向に偶数ラインの走査線を走査する。【０１０３】
そして、次にカラーフィールドＣＦ−ＢのサブフィールドＳＦ１では、走査線駆動部２は、順方向に、奇数ラインの走査線を走査する。その次のサブフィールドＳＦ２では、走査線駆動部２は、逆方向に偶数ラインの走査線を走査する。【０１０４】
その後、次のフレームＦｒａｍｅ２では、走査線駆動部２は、以下の動作を行う。【０１０５】
先ず、走査線駆動部２は、カラーフィールドＣＦ−ＲのサブフィールドＳＦ１では、走査線駆動部２は、逆方向に偶数ラインの走査線を走査する。その次のサブフィールドＳＦ２では、走査線駆動部２は、順方向に、奇数ラインの走査線を走査する。【０１０６】
続いて、次のカラーフィールドＣＦ−ＧのサブフィールドＳＦ１では、走査線駆動部２は、逆方向に偶数ラインの走査線を走査する。その次のサブフィールドＳＦ２では、走査線駆動部２は、順方向に奇数ラインの走査線を走査する。【０１０７】
そして、次のカラーフィールドＣＦ−ＢのサブフィールドＳＦ１では、走査線駆動部２は、逆方向に偶数ラインの走査線を走査する。その次のサブフィールドＳＦ２では、走査線駆動部２は、順方向に奇数ラインの走査線を走査する。【０１０８】
なお、図９にも図６と同様に、各ラインの階調データ更新位相とその階調データの色を示す。図９でも、図６と同様にフレームによって各色の階調データ更新位相が変化しており、階調データ更新位相についてのライン間の差異が時間平均的に低減されている様子が見られる。【０１０９】
次に本実施形態における走査線駆動部２の他の動作例を説明する。図１０は、本実施形態における走査線駆動部２の他の動作例を説明するためのタイミング図である。【０１１０】
図９では、フレーム内の全てのカラーフィールドにおいて、サブフィールドＳＦ１とサブフィールドＳＦ２とで走査される走査線および方向は同一であった。例えば、フレームＦｒａｍｅ１内の全てのカラーフィールドにおいて、サブフィールドＳＦ１では奇数ラインの走査線が走査され、サブフィールドＳＦ２では偶数ラインの走査線が走査されていた。図１０では、カラーフィールドごとに走査される走査線および方向が異なる。【０１１１】
フレームＦｒａｍｅ１では、走査線駆動部２は、以下の動作を行う。【０１１２】
先ず、カラーフィールドＣＦ−ＲのサブフィールドＳＦ１では、走査線駆動部２は、順方向に奇数ラインの走査線を走査する。その次のサブフィールドＳＦ２では、走査線駆動部２は、逆方向に偶数ラインの走査線を走査する。【０１１３】
続いて、次のカラーフィールドＣＦ−ＧのサブフィールドＳＦ１では、走査線駆動部２は、逆方向に偶数ラインの走査線を走査する。その次のサブフィールドＳＦ２では、順方向に奇数ラインの走査線を走査する。【０１１４】
そして、次にカラーフィールドＣＦ−ＢのサブフィールドＳＦ１では、走査線駆動部２は、順方向に、奇数ラインの走査線を走査する。その次のサブフィールドＳＦ２では、走査線駆動部２は、逆方向に偶数ラインの走査線を走査する。【０１１５】
その後、次のフレームＦｒａｍｅ２では、走査線駆動部２は、以下の動作を行う。【０１１６】
先ず、走査線駆動部２は、カラーフィールドＣＦ−ＲのサブフィールドＳＦ１では、走査線駆動部２は、逆方向に偶数ラインの走査線を走査する。その次のサブフィールドＳＦ２では、走査線駆動部２は、順方向に奇数ラインの走査線を走査する。【０１１７】
続いて、次のカラーフィールドＣＦ−ＧのサブフィールドＳＦ１では、走査線駆動部２は、順方向に、奇数ラインの走査線を走査する。その次のサブフィールドＳＦ２では、走査線駆動部２は、逆方向に偶数ラインの走査線を走査する。【０１１８】
そして、次のカラーフィールドＣＦ−ＢのサブフィールドＳＦ１では、走査線駆動部２は、逆方向に偶数ラインの走査線を走査する。その次のサブフィールドＳＦ２では、順方向に奇数ラインの走査線を走査する。【０１１９】
なお、図１０にも図６と同様に、各ラインの階調データ更新位相とその階調データの色を示す。図１０でも、図６と同様にフレームによって各色の階調データ更新位相が変化しており、階調データ更新位相についてのライン間の差異が時間平均的に低減されている様子が見られる。【０１２０】
次に本実施形態における走査線駆動部２の他の動作例を説明する。図１１は、本実施形態における走査線駆動部２の他の動作例を説明するためのタイミング図である。【０１２１】
図９および図１０では、フレームごとに、全てのサブフィールドで走査される走査線および方向が切り替えられていた。図１１では、フレームごとに、走査される走査線が切り替えられるサブフィールドと、走査される方向が切り替えられるサブフィールドとが存在する。具体的には、カラーフィールドＣＦ−ＲおよびＣＦ−Ｂのサブフィールドでは、フレームごとに走査される方向が切り替えられ、カラーフィールドＣＦ−Ｇのサブフィールドでは、フレームごとに走査される走査線が切り替えられる。【０１２２】
フレームＦｒａｍｅ１では、走査線駆動部２は、以下の動作を行う。【０１２３】
先ず、カラーフィールドＣＦ−ＲのサブフィールドＳＦ１では、走査線駆動部２は、順方向に奇数ラインの走査線を走査する。その次のサブフィールドＳＦ２では、走査線駆動部２は、逆方向に偶数ラインの走査線を走査する。【０１２４】
続いて、次のカラーフィールドＣＦ−ＧのサブフィールドＳＦ１では、走査線駆動部２は、逆方向に偶数ラインの走査線を走査する。その次のサブフィールドＳＦ２では、走査線駆動部２は、順方向に奇数ラインの走査線を走査する。【０１２５】
そして、次にカラーフィールドＣＦ−ＢのサブフィールドＳＦ１では、走査線駆動部２は、順方向に、奇数ラインの走査線を走査する。その次のサブフィールドＳＦ２では、走査線駆動部２は、逆方向に偶数ラインの走査線を走査する。【０１２６】
その後、次のフレームＦｒａｍｅ２では、走査線駆動部２は、以下の動作を行う。【０１２７】
先ず、走査線駆動部２は、カラーフィールドＣＦ−ＲのサブフィールドＳＦ１では、走査線駆動部２は、逆方向に奇数ラインの走査線を走査する。その次のサブフィールドＳＦ２では、走査線駆動部２は、順方向に偶数ラインの走査線を走査する。【０１２８】
続いて、次のカラーフィールドＣＦ−ＧのサブフィールドＳＦ１では、走査線駆動部２は、逆方向に奇数ラインの走査線を走査する。その次のサブフィールドＳＦ２では、走査線駆動部２は、順方向に偶数ラインの走査線を走査する。【０１２９】
そして、次のカラーフィールドＣＦ−ＢのサブフィールドＳＦ１では、走査線駆動部２は、逆方向に奇数ラインの走査線を走査する。その次のサブフィールドＳＦ２では、走査線駆動部２は、順方向に偶数ラインの走査線を走査する。【０１３０】
なお、図１１にも図６と同様に、各ラインの階調データ更新位相とその階調データの色を示す。図１１でも、図６と同様にフレームによって各色の階調データ更新位相が変化しており、階調データ更新位相についてのライン間の差異が時間平均的に低減されている様子が見られる。【０１３１】
次に効果を説明する。【０１３２】
本実施形態では、走査線駆動部２は、フレームごとに少なくとも一つのカラーフィールドの各サブフィールドで走査する走査線を入れ替え、また、フレームごとに少なくとも一つのカラーフィールドの各サブフィールドで走査線を走査する方向を入れ替える。【０１３３】
この場合、フレームごとに階調データが印加される画素の順番が変化するので、フレームごとに各ラインの明るさを変えることが可能になり、平均的に見ればラインごとの明るさを均一化することが可能になる。したがって、ラインごとの色の差異を抑制することが可能になるので、画面内の位置による階調再現性や色再現性の差異を抑制することが可能になる。【０１３４】
また、本実施形態では、カラーフィールドごとに各サブフィールドで走査する走査線や走査方向を入れ替える。【０１３５】
この場合、各画素間の階調データ更新位相の時間平均な差異を低減することが可能になるので、画面内の位置による階調再現性や色再現性の差異をさらに抑制することが可能になる。【０１３６】
次に、特許文献１に記載された駆動方法（図３）と図６〜図１１で説明した表示装置のそれぞれとを比較する。【０１３７】
図１２は、特許文献１に記載された駆動方法と、図６〜図１１で説明した表示装置のそれぞれとを比較するための説明図である。なお、図１３で示したように、各サブフィールドの長さをＴとし、サブフィールドＳＦ２が終了してから次のカラーフィールドが開始されるまでの時間をＴ’とする。また、フレームＦｒａｍｅ１の開始時刻を０とする。このとき、フレームＦｒａｍｅ２の開始時刻は、６Ｔ＋３Ｔ’である。また、フレーム開始時刻は、そのフレームにおける画像の階調データを最初に液晶表示素子に設定するタイミングとする。そして、カラーフィールド開始時刻は、対応するフレームにおける画像の対応する色の階調データを最初に液晶表示素子に適用するタイミングとする。【０１３８】
図１２では、先ず、フレームＦｒａｍｅ１およびＦｒａｍｅ２における、色ごとのサブフィールドの走査ラインおよび走査方向が図ごとに示されている。【０１３９】
なお、走査ラインは、走査された走査線が偶数ラインか奇数ラインかを示し、走査方向は、走査線が走査された方向が順方向か逆方向かを示す。また、図１２において、ＯＤは、奇数ラインの走査線が順方向に走査されたことを示し、ＯＵは、奇数ラインの走査線が逆方向に走査されたことを示し、ＥＤは、偶数ラインの走査線が順方向に走査されたことを示し、ＥＵは、偶数ラインの走査線が逆方向に走査されたことを示す。【０１４０】
また、図１２では、シーケンス周期が示されている。シーケンス周期は、フレーム内の全てのサブフィールドにおける走査ラインおよび走査方向が同じになるまでの周期であり、特許文献１に記載された駆動方法では、１フレームであるが、図６〜図１１で説明した表示装置では、２フレームとなる。【０１４１】
ところで、液晶表示装置は、液晶表示素子に光を照射したときだけ画像を表示する。また、上述したように、液晶の相対光透過率がどれだけ設定階調レベルに近いかは、階調データを適用したタイミングに依存するので、画面内の位置によって程度が異なる。このため、液晶表示素子に光を照射する期間（フレーム内位相と時間長）は、表示画像の画質（明るさ、色再現性、むらなど）に影響する重要なパラメータとなる。【０１４２】
この液晶表示素子に光を照射する期間を調整して、画質の各要素を全て最適化することは困難である。例えば、この光を照射する時間が長いほどがより明るくなるが、光の照射を開始するタイミングが早すぎると前の色の階調データの影響が液晶に残っていたり、光の照射を終了するタイミングが遅すぎると次の色の階調データの影響が液晶に反映されたりする。【０１４３】
ある色の光の照射期間としては、その色のカラーフィールドの終了時点を含む期間が望ましい。なぜならば、カラーフィールドの終了時点では、そのカラーフィールドに対応する色の階調データが全ての画素に適用（階調データが画素に対応する信号線に印加）され、かつ、次のカラーフィールドの色の階調データが画素に適用される直前だからである。また、光の照射を開始するタイミングとしては、サブフィールドＳＦ２の終了時点以降が望ましい。なぜなら、サブフィールドＳＦ２の終了時点以前では、前のカラーフィールドの色の階調データが適用されている画素があるためである。  
以上のことから、ある色の階調データをある画素に適用してから、その色のカラーフィールドの終了時点までの時間を、その画素の液晶の応答のための待ち時間の目安とする。  この待ち時間の目安を色ごとにシーケンス周期で平均した値を、平均液晶応答待ち時間τとして、図１２に示す。さらに言えば、図１２では、最上奇数ライン（ＴＯ）の走査線、最上偶数ライン（ＴＥ）の走査線、最下奇数ライン（ＢＯ）の走査線および最下偶数ライン（ＢＥ）の走査線のそれぞれに対応する画素の平均液晶応答待ち時間τが示されている。【０１４４】
平均液晶応答待ち時間τが異なると、画素１００に同じ階調データが印加されても、その画素１００が照明されたときの透過率が異なることがある。このため、平均液晶応答待ち時間τの走査線ごとのばらつきが少ないほどよい。【０１４５】
図１２で示されたように、特許文献１に記載された駆動方法に比べて、図６〜図１１で説明した表示装置では、更新平均時間τの走査線ごとのばらつきは少ない。【０１４６】
ここで、図６で説明した表示装置において、平均液晶応答待ち時間τの走査線ごとのばらつきは、特に小さい。しかしながら、この表示装置では、青色の階調データの平均液晶応答待ち時間τが短い場合がある。平均液晶応答待ち時間が短すぎると、正確な階調を表示することができないので、サブフィールドＳＦ２が終了してから次のカラーフィールドが開始されるまでの時間Ｔ’を適宜調整する必要があるかもしれない。つまり、カラーフィールドの時間長を色ごとに調整するようにしてもよい。【０１４７】
次に第四の実施形態について説明する。【０１４８】
本実施形態では、走査線駆動部２は、各フィールド内の各サブフィールドのうち最初のサブフィールドであるサブフィールドＳＦ１で、偶数ラインの走査線と奇数ラインの走査線との一方に加えて、その走査線に隣接する走査線を同時に走査する。以下、サブフィールドＳＦ１で走査される偶数ラインの走査線と奇数ラインの走査線との一方を対象走査線と称し、その対象走査線に隣接する走査線を隣接走査線と称する。【０１４９】
ここで、対象走査線と隣接走査線とが選択されているときには、信号線Ｄ１〜ＤＭには、対象走査線に対応する画素に対する階調データが印加されるものとする。したがって、対象走査線に対応する画素と、隣接走査線に対応する画素とには、同じ階調データが印加される。【０１５０】
また、サブフィールドＳＦ２では、偶数ラインの走査線と奇数ラインの走査線との他方が走査されるので、隣接走査線が走査されることになる。このとき、信号線Ｄ１〜ＤＭには、隣接走査線に対応する画素に対する本来の階調データが印加されるものとする。【０１５１】
なお、一つのサブフィールドにおいて、複数の走査線を略同時に走査する技術は、特開２００６−１６３３５８号公報に記載されている。【０１５２】
図１４は、本実施形態における走査線駆動部２の動作を説明するための説明図である。【０１５３】
フレームＦｒａｍｅ１では、走査線駆動部２は、以下の動作を行う。【０１５４】
先ず、カラーフィールドＣＦ−ＲのサブフィールドＳＦ１では、走査線駆動部２は、順方向に、奇数ラインの走査線と、その走査線の下にある偶数ラインとを略同時に走査する。その次のサブフィールドＳＦ２では、走査線駆動部２は、逆方向に偶数ラインの走査線を走査する。【０１５５】
続いて、次のカラーフィールドＣＦ−ＧのサブフィールドＳＦ１では、走査線駆動部２は、順方向に、奇数ラインの走査線と、その走査線の下にある偶数ラインとを略同時にを走査する。その次のサブフィールドＳＦ２では、走査線駆動部２は、逆方向に偶数ラインの走査線を走査する。【０１５６】
そして、次にカラーフィールドＣＦ−ＢのサブフィールドＳＦ１では、走査線駆動部２は、順方向に、奇数ラインの走査線と、その走査線の下にある偶数ラインとを略同時に走査する。その次のサブフィールドＳＦ２では、走査線駆動部２は、逆方向に偶数ラインの走査線を走査する。【０１５７】
その後、次のフレームＦｒａｍｅ２では、走査線駆動部２は、以下の動作を行う。【０１５８】
先ず、カラーフィールドＣＦ−ＲのサブフィールドＳＦ１では、走査線駆動部２は、逆方向に、偶数ラインの走査線と、その走査線の上にある奇数ラインとを略同時に走査する。その次のサブフィールドＳＦ２では、走査線駆動部２は、順方向に奇数ラインの走査線を走査する。【０１５９】
続いて、次のカラーフィールドＣＦ−ＧのサブフィールドＳＦ１では、走査線駆動部２は、逆方向に、偶数ラインの走査線と、その走査線の上にある奇数ラインの走査線とを略同時に走査する。その次のサブフィールドＳＦ２では、走査線駆動部２は、順方向に奇数ラインの走査線を走査する。【０１６０】
そして、次のカラーフィールドＣＦ−ＢのサブフィールドＳＦ１では、走査線駆動部２は、逆方向に、偶数ラインの走査線と、その走査線の上にある奇数ラインの走査線とを略同時に走査する。その次のサブフィールドＳＦ２では、走査線駆動部２は、順方向に奇数ラインの走査線を走査する。【０１６１】
次に効果を説明する。【０１６２】
本実施形態によれば、走査線駆動部２は、各フィールド内の各サブフィールドのうち最初のサブフィールドであるサブフィールドＳＦ１で、偶数ラインの走査線と奇数ラインの走査線との一方に加えて、その走査線に隣接する隣接走査線を同時に走査する。【０１６３】
この場合、サブフィールドＳＦ１終了時点で、そのカラーフィールドに対応する色の階調データが全ての画素に適用される。つまり、サブフィールドＳＦ１終了時点で、前のカラーフィールドに対応する色の階調データはいずれの画素にも適用されていない。従って、現在のカラーフィールドに対応する色の階調データの適用が完了する位相が早くなり、その対応する色の光の照明開始を早くすることが可能になる。したがって、その対応する色の光の照明時間を長くすることが可能になり、表示画像を明るくすることが可能になる。【０１６４】
なお、隣接走査線に対応する画素では、サブフィールドＳＦ１で本来とは異なる階調になるが、サブフィールドＳＦ２終了時点で本来の階調となるデータが適用完了される。このため、解像度と表示画像の明るさとは、トレードオフの関係になる。【０１６５】
次に第五の実施形態について説明する。【０１６６】
本実施形態では、図４で示した表示装置のより詳細な構成について説明する。【０１６７】
図１５は、表示装置のより詳細な構成を示したブロック図である。図１３において、表示装置は、表示部１と、走査線駆動部２と、信号線駆動部３と、光源４と、制御回路５と、メモリ６とを有する。【０１６８】
信号線駆動部３は、走査線駆動部２が選択電圧を印加した走査線Ｓ１〜ＳＮに対応する画素に表示する階調データを、液晶を駆動するのに適した電圧に変換して信号線Ｓ１〜ＳＮを介して画素１００に供給する。【０１６９】
光源４は、表示部１を照明する。具体的には、光源４は、発光素子４１〜４３を有する。発光素子４１〜４３は、色がそれぞれ異なる光を表示部１の背面から照明する。なお、発光素子４１〜４３は、例えば、ＬＥＤなどである。また、発光素子４１〜４３のそれぞれが照明する光の色は、本実施形態では、赤、緑および青とする。なお、光源４が照明する光の色の種類はこの例に限らず適宜変更可能である。また、光源４は、白色の発光素子と、カラーホイールから構成されていてもよい。【０１７０】
制御回路５は、図示していない上位装置から垂直走査信号、水平走査信号およびドットクロック信号に同期して供給される映像データを、一度メモリ６に記憶する。その後、制御回路５は、メモリ６に記憶した映像データに含まれる階調データを走査線駆動部２および信号線駆動部３による走査に同期してメモリ６から読み出し、信号線駆動部３に供給する。【０１７１】
また、制御回路５は、走査線駆動部２による走査線Ｓ１〜ＳＮの走査に合わせて光源を制御する。【０１７２】
例えば、走査線駆動部２が第一の実施形態、第二の実施形態および第三の実施形態で説明した走査を行う場合、制御回路５は、カラーフィールドごとに、そのカラーフィールドに応じた色の光の発光素子を、そのカラーフィールドにおけるサブフィールドＳＦ２終了時点以降のある時点から次のカラーフィールドのある時点まで発光させることで、光源４に階調データに応じた色の光を画素１００に照明させる。【０１７３】
また、走査線駆動部２が第四の実施形態で説明した走査を行う場合、制御回路５は、カラーフィールドごとに、そのカラーフィールドにおけるサブフィールドＳＦ２が開始された時点以降のある時点から次のカラーフィールドのある時点まで発光させることで、光源４に階調データに応じた色の光を画素１００に照明させる。【０１７４】
なお、光源の点灯を開始するタイミングや光源の点灯期間は、色の差異や画像の明るさなどを考慮して調整される。例えば、点灯期間が短いと、色の差異は低減するが、画像は暗くなる。また、光源の点灯を開始するタイミングが遅いほど、画素１００の透過率の応答が進むので、色の差異が低減する。さらに、光源の点灯を停止するタイミングが遅いと、次のカラーフィールドに対応する色の階調データの影響を受けるので、画質が低下する。【０１７５】
なお、光源の点灯を開始するタイミングや光源を点灯している期間を色ごとに変更してもよい。この場合、色に対する視感度や画素１００の透過率の応答速度の違いに応じて調整することが可能になる。【０１７６】
以上説明した各実施形態において、図示した構成は単なる一例であって、本発明はその構成に限定されるものではない。【０１７７】
例えば、各フレームにおいて、カラーフィールドは、ＣＦ−Ｒ、ＣＦ−ＧおよびＣＦ−Ｂの順に並んでいたが、この順に限らず適宜変更可能である。【０１７８】
また、各実施形態では、Ｒ，Ｇ，Ｂの３色を用いる例であったが、４色以上であってもよい。【０１７９】
走査線駆動部２は、１フレームごとに、走査する走査線や方向を切り替えていたが、複数フレームごとに走査する走査線や走査方向を切り替えてもよい。つまり、走査線駆動部２は、シーケンス周期を２フレームとしていたが、シーケンス周期を２フレームより長くしてもよい。例えば、走査線駆動部２は、走査する走査線や走査方向を切り替える組み合わせをさらに複雑にして、シーケンス周期を長くしてもよい。【０１８０】
また、各サブフィールドで走査する走査線を奇数ラインと偶数ラインとに分ける例で説明したが、別の分け方であってもよい。その場合でも、画面内位置による階調再現性の差異や色再現性の差異を低減することが可能になる。
【図１】
2010116436.tif 000003
【図２】
2010116436.tif 000004
【図３】
2010116436.tif 000005
【図４】
2010116436.tif 000006
【図５】
2010116436.tif 000007
【図６】
2010116436.tif 000008
【図７】
2010116436.tif 000009
【図８】
2010116436.tif 000010
【図９】
2010116436.tif 000011
【図１０】
2010116436.tif 000012
【図１１】
2010116436.tif 000013
【図１２】
2010116436.tif 000014
【図１３】
2010116436.tif 000015
【図１４】
2010116436.tif 000016
【図１５】
2010116436.tif 000017
【国際調査報告】
2010116436.tif 000018
2010116436.tif 000019
2010116436.tif 000020
2010116436.tif 000021